(57)【特許請求の範囲】
【請求項１】
洗浄箱を含み、前記洗浄箱の中には前方に開口した洗浄空間が設置され、前記洗浄空間の左側内壁には左方に開口したスライド穴が設置され、前記洗浄空間の左右両側内壁には左右に延びたモーター軸がそれぞれ回転できるように連結され、前記モーター軸において対称中心に近接している一端には挟み装置が固定的に連結され、前記挟み装置が前記モーター軸に固定的に連結された挟み箱と、前記挟み箱の中に設置された挟み空間と、前記挟み空間の中に設置された揺動ロッドと、前記挟み空間にヒンジにより連結された挟みブロックを含み、前記揺動ロッドを利用し前記挟みブロックを連動させて挟み機能を実現し、前記洗浄空間の中には右側の前記モーター軸の前側に位置した連動装置が設置され、前記連動装置は前記洗浄空間の下側内壁にスライドできるように連結されたスライドブロックを含み、前記スライドブロックには前後対称な二つの回転ロッドがヒンジにより連結され、前記スライドブロックが前記回転ロッドを回転させることを利用しゴムロール洗浄運動をゴムロール乾燥運動に切り換えることを実現でき、
前記洗浄空間の中には前記挟み装置の前後両側に位置したゴムロールを早く乾燥できる前後対称の二つの高速乾燥装置が設置され、前記洗浄空間の中には左側の前記挟み装置の後側に位置した復帰装置が設置され、前記復帰装置は、前記スライド穴とスライドできるように連結され且つ前記洗浄空間の左側端面の外部まで延びた横ロッドを含み、前記横ロッドには前記洗浄空間の中に位置したラックが固定的に連結され、前記ラックが上へ移動することを利用し復帰運動を触発でき、前記洗浄空間の中には前記復帰装置の上側に位置した洗浄装置が設置され、前記洗浄装置が高圧水を利用しゴムロールを洗浄することを特徴とする印刷染色設備用ゴムロールの自動洗浄設備。
【請求項２】
前記洗浄空間の上側端面には水ポンプが固定的に連結され、前記水ポンプと外部水箱との間には水管が連通するように連結され、前記水ポンプと外部回収水箱との間には排水管が連通するように連結され、前記排水管と前記洗浄装置との間には入力管が連通するように連結され、左側の前記モーター軸には左側の前記挟み装置の左側に位置した主歯車が固定的に連結され、右側の前記モーター軸には前記洗浄空間の右側内壁に固定的に連結されたモーターが伝動できるように連結されていることを特徴とする請求項１に記載の印刷染色設備用ゴムロールの自動洗浄設備。
【請求項３】
前記挟み装置は前記挟み空間の前側内壁にスライドできるように連結されたプッシュ板を含み、前記プッシュ板と前記挟み空間において対称中心から離れた側の内壁との間には圧着ばねが連結され、前記プッシュ板において対称中心に離れた側の端面には上下対称の二つのＬ型ロッドがスライドできるように連結され、前記挟み空間の上下両側内壁には上下対称の二つのフレームロッドが固定的に連結され、前記フレームロッドには連結ロッドがヒンジにより連結され、前記連結ロッドにおいて対称中心に近接した一端と前記揺動ロッドとがヒンジにより連結され、前記挟みブロックには摩擦ブロックが固定的に連結され、前記Ｌ型ロッドと前記連結ロッドと前記揺動ロッドとが一つの点にヒンジにより連結されていることを特徴とする請求項１に記載の印刷染色設備用ゴムロールの自動洗浄設備。
【請求項４】
前記連動装置は前記洗浄空間の右側内壁に固定的に連結された固定ロッドと、前記固定ロッドにヒンジにより連結されたてことを含み、前記てこと前記固定ロッドとの間にはねじりばねが連結され、前記てこには前後に貫通したスライド溝が設置され、前記スライドブロックの右側端面には連結棒が固定的に連結され、前記連結棒には前記スライド溝とスライドできるように連結されたスライドピンが固定的に連結されていることを特徴とする請求項１に記載の印刷染色設備用ゴムロールの自動洗浄設備。
【請求項５】
前記高速乾燥装置は前記洗浄空間の左右両側内壁にスライドできるように連結された左右対称の二つのスライド座を含み、右側の前記スライド座と前記回転ロッドとが互いにヒンジにより連結され、左右両側の前記スライド座の間には左右に延びた回転軸が回転できるように連結され、前記回転軸には前記主歯車と噛み合うように連結されることができる副歯車が固定的に連結され、前記回転軸には前記副歯車の右側に位置した拭い輪が固定的に連結され、前記拭い輪がゴムロールを高速に乾燥でき、後側の前記回転軸には前記副歯車の左側に位置した歯車が固定的に連結され、前記歯車が前記ラックと噛み合うように連結されることができることを特徴とする請求項２に記載の印刷染色設備用ゴムロールの自動洗浄設備。
【請求項６】
前記復帰装置は前記横ロッドの左端に固定的に連結された短ロッドを含み、前記短ロッドが前記洗浄空間の端面の外部に位置しており、前記短ロッドには円ピンが固定的に連結され、前記洗浄空間の左側端面には前記入力管の上側に位置したダンパーシリンダーが固定的に連結され、前記ダンパーシリンダーの中には上下に貫通したダンパー空間が設置され、前記ダンパー空間の中にはダンパーブロックがスライド可能に連結され、且つ前記ダンパー空間と前記ダンパーブロックとの間にはより大きいスライド抗力が存在し、前記ダンパーブロックの下側端面には前記入力管の下側端面の外部まで延びたダンパーロッドが固定的に連結され、前記ダンパーロッドの下端には前記入力管の下側に位置したプッシュブロックが固定的に連結され、前記プッシュブロックが前記円ピンと当接でき、前記ダンパーロッドには前記入力管の中に位置した折りロッドが固定的に連結され、前記折りロッドの左端には前記排水管の中にスライドできるように連結された止めブロックが固定的に連結され、前記止めブロックが前記排水管と外部回収水箱とを断路させることができることを特徴とする請求項２に記載の印刷染色設備用ゴムロールの自動洗浄設備。
【請求項７】
前記ダンパーブロックと前記ダンパー空間との間には一定のダンパーが存在しており、それにより前記ダンパーブロックが重力により下へ移動する過程を緩やかにさせ、それにより前記排水管が水をすべて排出する時間が十分あり、それにより前記洗浄装置が洗浄完了後に復帰できることを特徴とする請求項６に記載の印刷染色設備用ゴムロールの自動洗浄設備。
【請求項８】
前記洗浄装置は前記洗浄空間の左側内壁に固定的に連結された第一伸縮シリンダーを含み、前記第一伸縮シリンダーと前記入力管とが連通するように連結され、前記第一伸縮シリンダーの中には第一伸縮空間が設置され、前記第一伸縮空間の中には前記第一伸縮空間の右側端面の外部まで延びた第二伸縮シリンダーがスライドできるように連結され、前記第二伸縮シリンダーの中には第二伸縮空間が設置され、前記第二伸縮空間の中には前記第二伸縮空間の右側端面の外部まで延びたプッシュロッドがスライドできるように連結され、前記プッシュロッドには前記第二伸縮空間の端面の外部に位置した平行移動座が固定的に連結され、前記洗浄空間の左右両側内壁の間には前記平行移動座とスライドできるように連結されたスライド軸が固定的に連結され、前記スライド軸が前記第一伸縮シリンダーの下側に位置しており、前記平行移動座には前記てこと当接できるＬ型の触発ロッドが固定的に連結され、前記Ｌ型の触発ロッドが前記スライド軸の下側に位置しており、前記平行移動座の下端には前記触発ロッドの下側に位置したＵ型の洗浄管が固定的に連結され、前記洗浄管と前記水ポンプとの間には水輸送管が連通するように連結され、前記洗浄管の下側端面には前記洗浄管と連通したノズルが環状に等間隔に配置されていることを特徴とする請求項２に記載の印刷染色設備用ゴムロールの自動洗浄設備。
【発明の詳細な説明】
【技術分野】
【０００１】
本発明はゴムロール自動洗浄技術分野を取り上げて、具体的には印刷染色設備用ゴムロールの自動洗浄設備である。
【背景技術】
【０００２】
ゴムロールの種類は色々あり、例えば、製紙用ゴムロールと、印刷染色用ゴムロールと、印刷用ゴムロールと、もみすり用ゴムロールと、冶金用ゴムロールがあり、それらのゴムロールを使用した後に汚れが生成され、作業中に加工される製品の品質を確保するために、ゴムロールを取り出して洗浄する必要がある。一般的な洗浄方法は、水に洗剤を入れて人力でブラシで洗浄するが、その洗浄方式は、洗浄時間が長く、洗浄面積が均一にではなく、ゴムロールを破壊しやいなどの欠点があり、人力労働強さが大きい。もう一つの方法は、ブラシ式の機械で洗浄することであり、そのような機械洗浄は、洗浄程度が足りなく、頑固な汚れを洗浄できなく、印刷染色ゴムロールの模様を破壊しやすい欠点がある。本願発明は上記問題を解決できる設備を開示する。
【先行技術文献】
【特許文献】
【０００３】
【特許文献１】中国特許出願公開第１０７９５６０６４号明細書
【発明の概要】
【発明が解決しようとする課題】
【０００４】
技術問題：現在ゴムロールの洗浄は一般的に人力洗浄とブラシ式の機械洗浄であり、いずれも洗浄程度が足りなくて印刷染色ゴムロールの模様を破壊しやすい欠点がある。
【課題を解決するための手段】
【０００５】
上記問題を解決するために、本願発明の印刷染色設備用ゴムロールの自動洗浄設備は、洗浄箱を含み、前記洗浄箱の中には前方に開口した洗浄空間が設置され、前記洗浄空間の左側内壁には左方に開口したスライド穴が設置され、前記洗浄空間の左右両側内壁には左右に延びたモーター軸がそれぞれ回転できるように連結され、前記モーター軸において対称中心に近接している一端には挟み装置が固定的に連結され、前記挟み装置が前記モーター軸に固定的に連結された挟み箱と、前記挟み箱の中に設置された挟み空間と、前記挟み空間の中に設置された揺動ロッドと、前記挟み空間にヒンジにより連結された挟みブロックを含み、前記揺動ロッドを利用し前記挟みブロックを連動させて挟み機能を実現し、前記洗浄空間の中には右側の前記モーター軸の前側に位置した連動装置が設置され、前記連動装置は前記洗浄空間の下側内壁にスライドできるように連結されたスライドブロックを含み、前記スライドブロックには前後対称な二つの回転ロッドがヒンジにより連結され、前記スライドブロックが前記回転ロッドを回転させることを利用しゴムロール洗浄運動をゴムロール乾燥運動に切り換えることを実現でき、
前記洗浄空間の中には前記挟み装置の前後両側に位置したゴムロールを早く乾燥できる前後対称の二つの高速乾燥装置が設置され、前記洗浄空間の中には左側の前記挟み装置の後側に位置した復帰装置が設置され、前記復帰装置は、前記スライド穴とスライドできるように連結され且つ前記洗浄空間の左側端面の外部まで延びた横ロッドを含み、前記横ロッドには前記洗浄空間の中に位置したラックが固定的に連結され、前記ラックが上へ移動することを利用し復帰運動を触発でき、前記洗浄空間の中には前記復帰装置の上側に位置した洗浄装置が設置され、前記洗浄装置が高圧水を利用しゴムロールを洗浄する。
【０００６】
優選的には、前記洗浄空間の上側端面には水ポンプが固定的に連結され、前記水ポンプと外部水箱との間には水管が連通するように連結され、前記水ポンプと外部回収水箱との間には排水管が連通するように連結され、前記排水管と前記洗浄装置との間には入力管が連通するように連結され、左側の前記モーター軸には左側の前記挟み装置の左側に位置した主歯車が固定的に連結され、右側の前記モーター軸には前記洗浄空間の右側内壁に固定的に連結されたモーターが伝動できるように連結されている。
【０００７】
前記挟み装置は前記挟み空間の前側内壁にスライドできるように連結されたプッシュ板を含み、前記プッシュ板と前記挟み空間において対称中心から離れた側の内壁との間には圧着ばねが連結され、前記プッシュ板において対称中心に離れた側の端面には上下対称の二つのＬ型ロッドがスライドできるように連結され、前記挟み空間の上下両側内壁には上下対称の二つのフレームロッドが固定的に連結され、前記フレームロッドには連結ロッドがヒンジにより連結され、前記連結ロッドにおいて対称中心に近接した一端と前記揺動ロッドとがヒンジにより連結され、前記挟みブロックには摩擦ブロックが固定的に連結され、前記Ｌ型ロッドと前記連結ロッドと前記揺動ロッドとが一つの点にヒンジにより連結されている。
【０００８】
前記連動装置は前記洗浄空間の右側内壁に固定的に連結された固定ロッドと、前記固定ロッドにヒンジにより連結されたてことを含み、前記てこと前記固定ロッドとの間にはねじりばねが連結され、前記てこには前後に貫通したスライド溝が設置され、前記スライドブロックの右側端面には連結棒が固定的に連結され、前記連結棒には前記スライド溝とスライドできるように連結されたスライドピンが固定的に連結されている。
【０００９】
前記高速乾燥装置は前記洗浄空間の左右両側内壁にスライドできるように連結された左右対称の二つのスライド座を含み、右側の前記スライド座と前記回転ロッドとが互いにヒンジにより連結され、左右両側の前記スライド座の間には左右に延びた回転軸が回転できるように連結され、前記回転軸には前記主歯車と噛み合うように連結されることができる副歯車が固定的に連結され、前記回転軸には前記副歯車の右側に位置した拭い輪が固定的に連結され、前記拭い輪がゴムロールを高速に乾燥でき、後側の前記回転軸には前記副歯車の左側に位置した歯車が固定的に連結され、前記歯車が前記ラックと噛み合うように連結される。
【００１０】
前記復帰装置は前記横ロッドの左端に固定的に連結された短ロッドを含み、前記短ロッドが前記洗浄空間の端面の外部に位置しており、前記短ロッドには円ピンが固定的に連結され、前記洗浄空間の左側端面には前記入力管の上側に位置したダンパーシリンダーが固定的に連結され、前記ダンパーシリンダーの中には上下に貫通したダンパー空間が設置され、前記ダンパー空間の中にはダンパーブロックがスライド可能に連結され、且つ前記ダンパー空間と前記ダンパーブロックとの間にはより大きいスライド抗力が存在し、前記ダンパーブロックの下側端面には前記入力管の下側端面の外部まで延びたダンパーロッドが固定的に連結され、前記ダンパーロッドの下端には前記入力管の下側に位置したプッシュブロックが固定的に連結され、前記プッシュブロックが前記円ピンと当接でき、前記ダンパーロッドには前記入力管の中に位置した折りロッドが固定的に連結され、前記折りロッドの左端には前記排水管の中にスライドできるように連結された止めブロックが固定的に連結され、前記止めブロックが前記排水管と外部回収水箱とを断路させる。
【００１１】
優選的には、前記ダンパーブロックと前記ダンパー空間との間には一定のダンパーが存在しており、それにより前記ダンパーブロックが重力により下へ移動する過程を緩やかにさせ、それにより前記排水管が水をすべて排出する時間が十分あり、それにより前記洗浄装置が洗浄完了後に復帰できる。
【００１２】
前記洗浄装置は前記洗浄空間の左側内壁に固定的に連結された第一伸縮シリンダーを含み、前記第一伸縮シリンダーと前記入力管とが連通するように連結され、前記第一伸縮シリンダーの中には第一伸縮空間が設置され、前記第一伸縮空間の中には前記第一伸縮空間の右側端面の外部まで延びた第二伸縮シリンダーがスライドできるように連結され、前記第二伸縮シリンダーの中には第二伸縮空間が設置され、前記第二伸縮空間の中には前記第二伸縮空間の右側端面の外部まで延びたプッシュロッドがスライドできるように連結され、前記プッシュロッドには前記第二伸縮空間の端面の外部に位置した平行移動座が固定的に連結され、前記洗浄空間の左右両側内壁の間には前記平行移動座とスライドできるように連結されたスライド軸が固定的に連結され、前記スライド軸が前記第一伸縮シリンダーの下側に位置しており、前記平行移動座には前記てこと当接できるＬ型の触発ロッドが固定的に連結され、前記Ｌ型の触発ロッドが前記スライド軸の下側に位置しており、前記平行移動座の下端には前記触発ロッドの下側に位置したＵ型の洗浄管が固定的に連結され、前記洗浄管と前記水ポンプとの間には水輸送管が連通するように連結され、前記洗浄管の下側端面には前記洗浄管と連通したノズルが環状に等間隔に配置されている。
【発明の効果】
【００１３】
本願発明の有益な効果は：本願発明は移動式高圧水洗浄装置と回転機構との協働運動を通して、高圧水を利用しゴムロールを全面に洗浄し、徹底的に洗浄でき、また印刷染色ゴムロールの模様を破壊しにくく、洗浄完了後に、連動機構を通して乾燥機構を駆動しゴムロールを早く乾燥でき、乾燥完了後に、復帰装置は装置全体を復帰させて次回の洗浄作業に便利を与え、従って、本願発明は、洗浄程度が高く、印刷染色ゴムロールの模様を破壊しにくく、自動的に洗浄後のゴムロールを乾燥できる特徴を持つ。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致する。
【００１５】
【図１】図１は本願発明の印刷染色設備用ゴムロールの自動洗浄設備の全体構造概略図
【図２】図２は図１のＡ―Ａ方向の構造概略図
【図３】図３は図１のＢ―Ｂ方向の構造概略図
【図４】図４は図１のＣの構造拡大概略図
【図５】図５は図１のＤの構造拡大概略図
【発明を実施するための形態】
【００１６】
本願発明は印刷染色設備用ゴムロールの自動洗浄設備に関わり、主にゴムロールの自動洗浄に応用し、下記に本願発明の図面に合わせて更に説明する：
【００１７】
本願発明の印刷染色設備用ゴムロールの自動洗浄設備は、洗浄箱１１を含み、前記洗浄箱１１の中には前方に開口した洗浄空間１２が設置され、前記洗浄空間１２の左側内壁には左方に開口したスライド穴６６が設置され、前記洗浄空間１２の左右両側内壁には左右に延びたモーター軸１６がそれぞれ回転できるように連結され、前記モーター軸１６において対称中心に近接している一端には挟み装置１０１が固定的に連結され、前記挟み装置１０１が前記モーター軸１６に固定的に連結された挟み箱４６と、前記挟み箱４６の中に設置された挟み空間４７と、前記挟み空間４７の中に設置された揺動ロッド４９と、前記挟み空間４７にヒンジにより連結された挟みブロック５４を含み、前記揺動ロッド４９を利用し前記挟みブロック５４を連動させて挟み機能を実現し、前記洗浄空間１２の中には右側の前記モーター軸１６の前側に位置した連動装置１０２が設置され、前記連動装置１０２は前記洗浄空間１２の下側内壁にスライドできるように連結されたスライドブロック３４を含み、前記スライドブロック３４には前後対称な二つの回転ロッド３９がヒンジにより連結され、前記スライドブロック３４が前記回転ロッド３９を回転させることを利用しゴムロール洗浄運動をゴムロール乾燥運動に切り換えることを実現でき、前記洗浄空間１２の中には前記挟み装置１０１の前後両側に位置したゴムロールを早く乾燥できる前後対称の二つの高速乾燥装置１０３が設置され、前記洗浄空間１２の中には左側の前記挟み装置１０１の後側に位置した復帰装置１０４が設置され、前記復帰装置１０４は、前記スライド穴６６とスライドできるように連結され且つ前記洗浄空間１２の左側端面の外部まで延びた横ロッド１８を含み、前記横ロッド１８には前記洗浄空間１２の中に位置したラック１３が固定的に連結され、前記ラック１３が上へ移動することを利用し復帰運動を触発でき、前記洗浄空間１２の中には前記復帰装置１０４の上側に位置した洗浄装置１０５が設置され、前記洗浄装置１０５が高圧水を利用しゴムロールを洗浄する。
【００１８】
有益的には、前記洗浄空間１２の上側端面には水ポンプ２２が固定的に連結され、前記水ポンプ２２と外部水箱との間には水管６５が連通するように連結され、前記水ポンプ２２と外部回収水箱との間には排水管２０が連通するように連結され、前記排水管２０と前記洗浄装置１０５との間には入力管５５が連通するように連結され、左側の前記モーター軸１６には左側の前記挟み装置１０１の左側に位置した主歯車１７が固定的に連結され、右側の前記モーター軸１６には前記洗浄空間１２の右側内壁に固定的に連結されたモーター４０が伝動できるように連結されている。
【００１９】
前記挟み装置１０１は前記挟み空間４７の前側内壁にスライドできるように連結されたプッシュ板５１を含み、前記プッシュ板５１と前記挟み空間４７において対称中心から離れた側の内壁との間には圧着ばね５２が連結され、前記プッシュ板５１において対称中心に離れた側の端面には上下対称の二つのＬ型ロッド５０がスライドできるように連結され、前記挟み空間４７の上下両側内壁には上下対称の二つのフレームロッド６４が固定的に連結され、前記フレームロッド６４には連結ロッド４８がヒンジにより連結され、前記連結ロッド４８において対称中心に近接した一端と前記揺動ロッド４９とがヒンジにより連結され、前記挟みブロック５４には摩擦ブロック５３が固定的に連結され、前記Ｌ型ロッド５０と前記連結ロッド４８と前記揺動ロッド４９とが一つの点にヒンジにより連結され、前記挟み装置１０１が前記プッシュ板５１の移動を通して前記Ｌ型ロッド５０と前記揺動ロッド４９を移動させ、それにより前記挟みブロック５４にゴムロールを挟ませる。
【００２０】
前記連動装置１０２は前記洗浄空間１２の右側内壁に固定的に連結された固定ロッド４１と、前記固定ロッド４１にヒンジにより連結されたてこ３８とを含み、前記てこ３８と前記固定ロッド４１との間にはねじりばね６７が連結され、前記てこ３８には前後に貫通したスライド溝３７が設置され、前記スライドブロック３４の右側端面には連結棒３５が固定的に連結され、前記連結棒３５には前記スライド溝３７とスライドできるように連結されたスライドピン３６が固定的に連結され、前記連動装置１０２は前記てこ３８の回転を通して前記スライドブロック３４と前記回転ロッド３９とを移動させ、それによりゴムロール洗浄運動をゴムロール乾燥運動に切り換えることを実現する。
【００２１】
前記高速乾燥装置１０３は前記洗浄空間１２の左右両側内壁にスライドできるように連結された左右対称の二つのスライド座１４を含み、右側の前記スライド座１４と前記回転ロッド３９とが互いにヒンジにより連結され、左右両側の前記スライド座１４の間には左右に延びた回転軸４２が回転できるように連結され、前記回転軸４２には前記主歯車１７と噛み合うように連結されることができる副歯車１５が固定的に連結され、前記回転軸４２には前記副歯車１５の右側に位置した拭い輪３３が固定的に連結され、前記拭い輪３３がゴムロールを高速に乾燥でき、後側の前記回転軸４２には前記副歯車１５の左側に位置した歯車４４が固定的に連結され、前記歯車４４が前記ラック１３と噛み合うように連結されることができ、前記高速乾燥装置１０３は前記副歯車１５を通して前記拭い輪３３を回転させてゴムロールを高速に乾燥する機能を実現する。
【００２２】
前記復帰装置１０４は前記横ロッド１８の左端に固定的に連結された短ロッド４３を含み、前記短ロッド４３が前記洗浄空間１２の端面の外部に位置しており、前記短ロッド４３には円ピン１９が固定的に連結され、前記洗浄空間１２の左側端面には前記入力管５５の上側に位置したダンパーシリンダー２１が固定的に連結され、前記ダンパーシリンダー２１の中には上下に貫通したダンパー空間６０が設置され、前記ダンパー空間６０の中にはダンパーブロック６１がスライド可能に連結され、且つ前記ダンパー空間６０と前記ダンパーブロック６１との間にはより大きいスライド抗力が存在し、前記ダンパーブロック６１の下側端面には前記入力管５５の下側端面の外部まで延びたダンパーロッド５７が固定的に連結され、前記ダンパーロッド５７の下端には前記入力管５５の下側に位置したプッシュブロック５６が固定的に連結され、前記プッシュブロック５６が前記円ピン１９と当接でき、前記ダンパーロッド５７には前記入力管５５の中に位置した折りロッド５８が固定的に連結され、前記折りロッド５８の左端には前記排水管２０の中にスライドできるように連結された止めブロック６２が固定的に連結され、前記止めブロック６２が前記排水管２０と外部回収水箱とを断路させることができ、前記復帰装置１０４は前記円ピン１９の上への移動を通して前記ダンパーロッド５７と前記止めブロック６２とをプッシュし上へ移動させ、排水管２０と外部回収水箱とを連通させ、それにより前記洗浄装置１０５の復帰運動を実現する。
【００２３】
有益的には、前記ダンパーブロック６１と前記ダンパー空間６０との間には一定のダンパーが存在しており、それにより前記ダンパーブロック６１が重力により下へ移動する過程を緩やかにさせ、それにより前記排水管２０が水をすべて排出する時間が十分あり、それにより前記洗浄装置１０５が洗浄完了後に復帰できる。
【００２４】
前記洗浄装置１０５は前記洗浄空間１２の左側内壁に固定的に連結された第一伸縮シリンダー２３を含み、前記第一伸縮シリンダー２３と前記入力管５５とが連通するように連結され、前記第一伸縮シリンダー２３の中には第一伸縮空間２４が設置され、前記第一伸縮空間２４の中には前記第一伸縮空間２４の右側端面の外部まで延びた第二伸縮シリンダー２５がスライドできるように連結され、前記第二伸縮シリンダー２５の中には第二伸縮空間２６が設置され、前記第二伸縮空間２６の中には前記第二伸縮空間２６の右側端面の外部まで延びたプッシュロッド２７がスライドできるように連結され、前記プッシュロッド２７には前記第二伸縮空間２６の端面の外部に位置した平行移動座２８が固定的に連結され、前記洗浄空間１２の左右両側内壁の間には前記平行移動座２８とスライドできるように連結されたスライド軸３０が固定的に連結され、前記スライド軸２３が前記第一伸縮シリンダー２３の下側に位置しており、前記平行移動座２８には前記てこ３８と当接できるＬ型の触発ロッド３１が固定的に連結され、前記Ｌ型の触発ロッド３１が前記スライド軸３０の下側に位置しており、前記平行移動座２８の下端には前記触発ロッド３１の下側に位置したＵ型の洗浄管３２が固定的に連結され、前記洗浄管３２と前記水ポンプ２２との間には水輸送管２９が連通するように連結され、前記洗浄管３２の下側端面には前記洗浄管３２と連通したノズル４５が環状に等間隔に配置され、前記洗浄装置１０５は前記第二伸縮シリンダー２５と前記プッシュロッド２７とを通して前記洗浄管３２を移動させてゴムロールを洗浄する。
【００２５】
下記に図１〜図５に合わせて本願発明の印刷染色設備用ゴムロールの自動洗浄設備の使用流れを詳しく説明する：
【００２６】
初期状態では、第二伸縮シリンダー２５とプッシュロッド２７及び洗浄管３２が左限界位置にあり、スライド座１４が対称中心に離れた側の限界位置にあり、副歯車１５と主歯車１７とが噛み合っていなく、歯車４４とラック１３とが噛み合っていなく、てこ３８が鉛直位置にあり、スライドブロック３４が右限界位置にあり、横ロッド１８と、止めブロック６２及びダンパーブロック６１が下限界位置にあり、また止めブロック６２が排水管２０と外部回収水箱を断路させ、洗浄待ちのゴムロールを左右両側の挟み空間４７の中に取り付け、ゴムロールがプッシュ板５１をプッシュし対称中心から離れた側に移動させ、プッシュ板５１がＬ型ロッド５０を通して揺動ロッド４９と連結ロッド４８とを回転させ、挟みブロック５４と摩擦ブロック５３とにゴムロールを挟ませ、ゴムロールの固定を実現する。
【００２７】
作動するとき、モーター４０と水ポンプ２２を始動し、モーター４０が右側のモーター軸１６と、右側の挟み箱４６と、右側のフレームロッド６４と、右側の連結ロッド４８と、右側の揺動ロッド４９と、右側の挟みブロック５４及び右側の摩擦ブロック５３を通してゴムロールと左側のモーター軸１６とを回転させ、水ポンプ２２が水管６５を通して外部から水を吸い、また高圧水を水輸送管２９と、洗浄管３２及びノズル４５を通してゴムロールに噴射し、それによりゴムロールを洗浄すると同時に、水ポンプ２２が排水管２０と入力管５５を通して水を第一伸縮空間２４と第二伸縮空間２６の中に送り、水流が第二伸縮シリンダー２５とプッシュロッド２７をプッシュし右に移動させ、プッシュロッド２７が平行移動座２８と洗浄管３２とを右に移動させ、それによりゴムロールに対する全面洗浄を実現し、平行移動座２８が右限界位置まで移動するとき、ゴムロールの洗浄作業を完了し、水ポンプ２２の作動が停止し、触発ロッド３１がてこ３８をプッシュし回転させ、てこ３８がスライド溝３７と、スライドピン３６と、連結棒３５を通してスライドブロック３４を左に移動させ、スライドブロック３４が回転ロッド３９を通して右側のスライド座１４を対称中心に近接したところに移動させ、副歯車１５と主歯車１７とを噛み合うように連結させ、左側のモーター軸１６が主歯車１７を通して副歯車１５と回転軸４２及び拭い輪３３を回転させ、それによりゴムロールを高速に乾燥し、歯車４４とラック１３とが噛み合うように連結され、後側の回転軸４２が歯車４４を通してラック１３と横ロッド１８及び円ピン１９を上に移動させ、拭い輪３３が乾燥作業を完成した後、ゴムロールの洗浄が終わり、円ピン１９とプッシュブロック５６とが当接してプッシュブロック５６とダンパーロッド５７とダンパーブロック６１をプッシュし上に移動させ、ダンパーロッド５７が折りロッド５８を通して止めブロック６２を上に移動させ、排水管２０と外部回収水箱とを連通させ、第一伸縮空間２４と第二伸縮空間２６との中の水を排水管２０を通して排出させ、それにより第二伸縮シリンダー２５とプッシュロッド２７及び平行移動座２８を復帰させ、触発ロッド３１とてこ３８とが接触状態から離脱し、ねじりばね６７がてこ３８とスライドブロック３４とを復帰させ、スライドブロック３４が回転ロッド３９を通してスライド座１４を復帰させ、歯車４４との噛み合いから離脱したラック１３が重力の作用により下に移動して復帰し、ダンパーブロック６１が重力の作用により緩やかに下に移動して止めブロック６２を復帰させ、それにより装置全体を復帰させる。
【００２８】
上記の方式により、当業者は本発明の範囲内で運用モードに基づいて様々な変更が可能である。
【要約】
【課題】本発明は印刷染色設備用ゴムロールの自動洗浄設備を開示した。
【解決手段】
洗浄箱を含み、前記洗浄箱の中には前方に開口した洗浄空間が設置され、前記洗浄空間の左側内壁には左方に開口したスライド穴が設置され、前記洗浄空間の左右両側内壁には左右に延びたモーター軸がそれぞれ回転できるように連結され、前記モーター軸において対称中心に近接している一端には挟み装置が固定的に連結され、前記挟み装置が前記モーター軸に固定的に連結された挟み箱と、前記挟み箱の中に設置された挟み空間と、前記挟み空間の中に設置された揺動ロッドと、前記挟み空間にヒンジにより連結された挟みブロックを含み、前記揺動ロッドを利用し前記挟みブロックを連動させて挟み機能を実現する。
【選択図】図１【図１】
0006753012.tif 000002
【図２】
0006753012.tif 000003
【図３】
0006753012.tif 000004
【図４】
0006753012.tif 000005
【図５】
0006753012.tif 000006